(57)【要約】【課題】  分割型及び一体型等の種類の異なる浴室防水構造体のマスター型を短期間で製造可能にして投資コストの削減を図った浴室防水構造体のマスター型製造方法を提供する。【解決手段】  洗い場用防水パンのマスター型３２を形成する防水パン形成用木型３０と、前記洗い場用防水パンに連接して浴槽を保持させるための浴槽保持枠のマスター型４０Ａを形成する保持枠形成用木型３８とを別体に形成している。そして、前記防水パン形成用木型３０及び前記保持枠形成用木型３８を用いて、前記洗い場用防水パン及び前記浴槽保持枠のマスター型３２，３８を別体又は一体に選択的に形成する。【選択図】                図２
2006123282.tif 000002
【特許請求の範囲】
【請求項１】
洗い場用防水パンのマスター型を形成する防水パン形成用木型と、前記洗い場用防水パンに連接して浴槽を保持させるための浴槽保持枠のマスター型を形成する保持枠形成用木型とを別体に形成して、
前記防水パン形成用木型及び前記保持枠形成用木型を用いて、前記洗い場用防水パン及び前記浴槽保持枠のマスター型を別体又は一体に選択的に形成することを特徴とする浴室防水構造体のマスター型製造方法。
【請求項２】
前記防水パン形成用木型及び前記保持枠形成用木型をベース部材に合わせた状態で固定することにより、前記洗い場用防水パン及び浴槽保持枠を一体に形成する一体マスター型を形成することを特徴とする請求項１に記載の浴室防水構造体のマスター型製造方法。
【請求項３】
洗い場用防水パンのマスター型を形成する防水パン形成用木型と、前記洗い場用防水パンに連接して浴槽を保持させるための浴槽保持枠のマスター型を形成する保持枠形成用木型とを別体に形成して、
前記防水パン形成用木型及び前記保持枠形成用木型をベース部材に合わせた状態で着脱可能に固定したことを特徴とする浴室防水構造体のマスター型。
【発明の詳細な説明】
【技術分野】
【０００１】
本発明は、繊維強化プラスチックにより形成される成型品としての浴室防水構造体のマスター型製造方法及びマスター型に関するものである。
【背景技術】
【０００２】
従来、繊維強化プラスチック成型品を作る方法としては、ハンドレイアップ法もしくはスプレーアップ法等が知られている（例えば、特許文献１参照）。
【０００３】
例えば、スプレーアップ用の木型を起工する場合には、先ず製品に対して反転形状をしている木型が起工され、次に、この木型に樹脂等を積層硬化させて、製品形状と同様なマスター型が起工される。最後に、このマスター型に再度樹脂等を積層硬化させて、生産型が作成される。
【０００４】
製品の成形には、前記生産型を使用して２００回程度の使用によって製品を形成したのち生産型が更新されていく。なお、生産型の更新には、再度マスター型を使用して生産型が起工される。前記の木型、マスター型及び生産型の型起工（形成）は、その着工から完工まで約２ヶ月の製造期間を要していた。
【０００５】
前記の繊維強化プラスチック成型品として、例えば、洗い場用防水パンと、これに連接して一体化して配置された浴槽保持枠により保持されている浴槽と、を備えた浴室防水構造体（以下、バスユニットという）が知られている。
【０００６】
このバスユニットは、洗い場用防水パンと保持枠により保持されている浴槽とが連接して一体形成されているので、組立施工時間の短縮、部品点数の削減及び製品コスト安等のメリットがあって主に組立工場向けに採用されていた。
【特許文献１】特公平６−３７０６４号公報
【発明の開示】
【発明が解決しようとする課題】
【０００７】
しかしながら、既築建物のリフォーム時において、既築建物に対してバスユニットを入れ換えする際に、建物の入口サイズが小さくてバスユニットを搬入できないことがある。
【０００８】
これに対処するために、浴室防水構造体としてバスユニットを洗い場用防水パンと、浴槽保持枠により保持されている浴槽とに分割構成して、これらを建物内に搬入したのち現地組立することが考えられる。なお、分割型のバスユニットの洗い場用防水パンと、一体型のバスユニットの洗い場用防水パンとは同一形状で構成されている。
【０００９】
しかし、分割型のバスユニットと一体型のバスユニットとをそれぞれ製造する場合には、分割型の防水パン用木型及び保持枠形成用木型と、一体型の防水パン形成用木型と保持枠形成用木型とを一体形成してなる一体型木型とをそれぞれ別個に型起工しなければならなかった。
【００１０】
このため、前記各木型を型起工するための延べ型起工納期が長くなる問題があると共に、投資コストが増大するという問題があった。
【００１１】
また、浴槽サイズのみが異なる一体型バスユニットの一体型の木型を型起工する場合には、サイズの異なる保持枠形成用木型と防水パン形成用の木型とを一体化した一体型木型
を型起工しなければならなかったので、木型を型起工するための延べ型起工納期が長くなる問題があると共に、投資コストが増大するという問題があった。
【００１２】
本発明は、分割型及び一体型等の種類の異なる浴室防水構造体の各マスター型を短期間で製造可能にして投資コストの削減を図った浴室防水構造体のマスター型製造方法及びマスター型を提供することを目的とするものである。
【課題を解決するための手段】
【００１３】
本発明は、上述事情に鑑みなされたものであって、請求項１に記載の発明の浴室防水構造体のマスター型製造方法は、洗い場用防水パンのマスター型を形成する防水パン形成用木型と、前記洗い場用防水パンに連接して浴槽を保持させるための浴槽保持枠のマスター型を形成する保持枠形成用木型とを別体に形成して、前記防水パン形成用木型及び前記保持枠形成用木型を用いて、前記洗い場用防水パン及び前記浴槽保持枠のマスター型を別体又は一体に選択的に形成することを特徴としている。
【００１４】
また、請求項２に記載の発明の浴室防水構造体のマスター型製造方法は、前記防水パン形成用木型及び前記保持枠形成用木型をベース部材に合わせた状態で固定することにより、前記洗い場用防水パン及び浴槽保持枠を一体に形成する一体マスター型を形成することを特徴としている。
【００１５】
また、請求項３に記載の発明の浴室防水構造体のマスター型は、洗い場用防水パンのマスター型を形成する防水パン形成用木型と、前記洗い場用防水パンに連接して浴槽を保持させるための浴槽保持枠のマスター型を形成する保持枠形成用木型とを別体に形成して、前記防水パン形成用木型及び前記保持枠形成用木型をベース部材に合わせた状態で着脱可能に固定したことを特徴としている。
【発明の効果】
【００１６】
請求項１に記載の発明によれば、洗い場用防水パンのマスター型を形成する防水パン形成用木型と、前記洗い場用防水パンに連接して浴槽を保持させるための浴槽保持枠のマスター型を形成する保持枠形成用木型とを別体に形成して、前記防水パン形成用木型及び前記保持枠形成用木型を用いて、前記洗い場用防水パン及び前記浴槽保持枠のマスター型を別体又は一体に選択的に形成するようにしたので、分割型の浴室防水構造体の型起工に用いられる防水パン形成用木型を一体型の浴室防水構造体の型起工にも兼用して用いることができる。これにより、分割型及び一体型の浴室防水構造体の延べ型起工納期を短縮できると共に投資コストを低減することができる。
【００１７】
また、請求項２に記載の発明によれば、前記防水パン形成用木型及び前記保持枠形成用木型をベース部材に合わせた状態で固定することにより、前記洗い場用防水パン及び浴槽保持枠を一体に形成する一体マスター型を形成するようにしたので、別体の防水パン形成用木型及び保持枠形成用木型により容易に一体マスター型を形成することができる。これにより、分割型及び一体型の浴室防水構造体の延べ型起工納期を短縮できると共に投資コストを低減することができる。
【００１８】
また、請求項３に記載の発明によれば、洗い場用防水パンのマスター型を形成する防水パン形成用木型と、前記洗い場用防水パンに連接して浴槽を保持させるための浴槽保持枠のマスター型を形成する保持枠形成用木型とを別体に形成して、前記防水パン形成用木型及び前記保持枠形成用木型をベース部材に合わせた状態で着脱可能に固定したので、分割型の浴室防水構造体の型起工に用いられた防水パン形成用木型を兼用して用いることができると共に、サイズの異なる浴槽を洗い場用防水パンに連接する場合に、所望サイズの保持枠形成用木型を防水パン形成用木型に固定するだけで、所望サイズの浴槽を保持する浴
槽保持枠を備えた浴室防水構造体の一体マスター型を容易に形成することができる。
【発明を実施するための最良の形態】
【００１９】
以下、本発明の実施の形態を図面に基づいて説明する。
【００２０】
図１（ａ）において、浴室防水構造体としての分割型バスユニット１は、洗い場用防水パン２と浴槽保持枠３により保持される後述の浴槽１４とを有している。洗い場用防水パン２の底板４には、排水口５を有する排水溝６が図中前後に設けられている。
【００２１】
前記浴槽保持枠３は開口７を有していて、その内側に沿って段部９が形成されている。前記浴槽保持枠３は、支持手段１０により支持されるようになっており、この支持手段１０は、浴槽保持枠３の４つのコーナ部を支持する複数本の支柱１１を有している。この支持部１０の前後の一対の支柱１１は、補強部材１２によりそれぞれ連結されて補強されている。
【００２２】
浴槽１４は上方に開口１５を有していて箱状を成しており、この浴槽１４の開口１５の外側に沿って鍔１６が形成されている。この開口１５の鍔１６を前記浴槽保持枠３の段部９に載置して固定することにより、浴槽１４は浴槽保持枠３に保持されるようになっている。
【００２３】
上記のように予め分割して構成された洗い場用防水パン２及び浴槽保持枠３は工場で製造したのち、分割型バスユニット１を設置するべき図示しない建物に搬入したのち建物内で互いに固定されて一つの分割型バスユニット１として構成されている。
【００２４】
このような分割型バスユニット１は、上記建物の入口サイズが分割型バスユニット１を搬入するには小さい場合に好適に採用される。
【００２５】
次に、図１（ｂ）は浴室防水構造体としての一体型バスユニット１８を示している。この一体型バスユニット１８は洗い場用防水パン２と浴槽保持枠１９が一体に形成されている前記の浴槽１４とを有している。なお、上記分割型のバスユニット１と同じものは同一符号を付してその説明は省略する。
【００２６】
図１（ｂ）において、図１（ａ）と同様の浴槽１４を保持する浴槽保持枠１９は、洗い場用防水パン２と一体形成されている。この浴槽保持枠１９は保持部１７により支持されており、この保持部１７は複数本の支柱２０を有している。この図１（ｂ）中の支柱２０の下部と洗い場用防水パン２とは補強部材２１によりそれぞれ連結されており、また前後の支柱２０の下部は補強部材２２により連結されている。
【００２７】
上記のように構成されている分割型バスユニット１を繊維強化プラスチックにより製造する場合には、洗い場用防水パン２及び浴槽保持枠３のそれぞれの木型とマスター型及び生産型等の成形型が用いられる。
【００２８】
また、一体型のバスユニット１８を製造する場合には、洗い場用防水パン２と浴槽保持枠１９とが一体形成された一体型の成形型を使用して行われる。
【００２９】
次に、上記の洗い場用防水パン２、浴槽保持枠３及び浴槽保持枠１９等の成形型及び製品の製造工程を図２を用いて説明する。なお、分割型のバスユニット１及び一体型のバスユニット１８の洗い場用防水パン２はそれぞれ同等な形状を有している。
【００３０】
図２（ａ）〜（ｄ）は、分割型のバスユニット１に用いられる洗い場用防水パン２を製
造するための成形型の製造工程を示している。
【００３１】
また、図２（ｆ）中の符号３８は、前記分割型のバスユニット１の浴槽保持枠３及び前記一体型のバスユニット１８の浴槽保持枠１９を製造するのに使用される保持枠形成用木型を示している。
【００３２】
先ず図２（ａ）図に示すように、製品に対して反転形状をしている防水パン形成用木型３０が形成され、この防水パン形成用木型３０の下部には突部３１が一体的に形成されている。
【００３３】
次に、この防水パン形成用木型３０の上面３０ａ及び側面３０ｂに樹脂等を積層硬化させて、製品形状と同様なマスター型３２が図２（ｂ）のように起工される。最後に、このマスター型３２の内面３２ａ及び上面３２ｂ等に再度樹脂等を積層硬化性させて図２（ｃ）に示すような生産型３４が作成される。
【００３４】
この生産型３４は、下部に突部３３を有している。この生産型３４の上面３４ａ及び側面３４ｂ等に樹脂等を積層硬化性させて、図２（ｄ）に示すような製品としての洗い場用防水パン２が形成される。
【００３５】
なお、洗い場用防水パン２（図１（ａ）参照）の形成には、前記生産型３４の２００回程度の使用によって生産型３４が更新されていく。この生産型３４の更新には、再度マスター型３２を使用して生産型３４が起工される。
【００３６】
また、前記分割型のバスユニット１の浴槽保持枠３及び前記一体型のバスユニット１８の浴槽保持枠１９は、前述したように図２（ｆ）中の保持枠形成用木型３８を用いて図示しないマスター型及び生産型を形成して製造される。
【００３７】
次に、図２（ａ）及び図２（ｅ）〜図２（ｈ）は、洗い場用防水パン２を製造するための成形型の製造工程を示している。
【００３８】
図１（ｂ）中の洗い場用防水パン２及び浴槽保持枠１９を一体に形成してなる一体木型を作るには、先ず図２（ｅ）に示すようにベース部材３７上に防水パン形成用木型３０が載置される。この防水パン形成用木型３０は、図１中の洗い場用防水パン２を形成するときに使用された同一の防水パン形成用木型３０が兼用して用いられる。
【００３９】
図２（ｆ）に示すように、ベース部材３７上には浴槽保持枠１９（図１（ｂ）参照）を形成するための保持枠形成用木型３８が前記防水パン形成用木型３０に隣接して配置されて着脱自在に固定されている。すなわち、防水パン形成用木型３０と保持枠形成用木型３８とを一体形成してなる一体型木型３９が形成される。
【００４０】
この防水パン形成用木型３０の上面３０ａ、側面３０ｂ及び保持枠形成用木型３８の上面３８ａ等に樹脂等を積層硬化させて、製品形状と同様な一体マスター型４０（図２（ｇ）参照）が起工される。この一体マスター型４０は、洗い場用防水パン２を形成するマスター型３２と、浴槽保持枠１９を形成するマスター型４０Ａとを有している。
【００４１】
このマスター型４０の内面４０ａ及び上面４０ｂ等に再度樹脂等を積層硬化させて図２（ｈ）に示すように洗い場用防水パン２用の生産型３４と保持枠形成用の生産型４１とを一体に形成してなる一体型の生産型４２が作成される。
【００４２】
この生産型３４の上面３４ａ、側面３４ｂ及び保持枠形成用の生産型４１の上面４１ａ
に樹脂等を積層硬化させて、図２（ｉ）に示すような製品としての一体型のバスユニット１８が形成される。この一体型のバスユニット１８は、図１（ｂ）中の洗い場用防水パン２と浴槽１４（図１（ａ）参照）を保持する浴槽保持枠１９とを一体形成したものからなっている。
【００４３】
なお、一体型のバスユニット１８の形成には、前記生産型４２の２００回程度の使用によって一体型の生産型４２が更新されていく。この一体型の生産型４２の更新には、再度マスター型４０を使用して一体型の生産型４２が起工される。
【００４４】
このように、浴槽１４を保持する浴槽保持枠１９と洗い場用防水パン２とが一体形成された一体型のバスユニット１８（図１（ｂ）参照）は、建物の入口サイズが一体型のバスユニット１８を搬入可能な大きさである場合に好適に採用される。
【００４５】
なお、一体型のバスユニット１８の浴槽１４をサイズの異なるものに製造する場合には、図２（ｆ）中の保持枠形成用木型３８を所望のサイズの保持枠形成用木型（図示せず）に交換して防水パン形成用木型３０に固定すればよいので、浴槽サイズは異なっていても防水パン形成用木型３０は同じ形状をなしている一体型の木型３９の形成を、低コストで短期間に行うことができる。
【００４６】
このように、図１中の分割型のバスユニット１及び一体型のバスユニット１８を製造する際に、洗い場用防水パン２用の防水パン形成用木型３０（図２（ｅ）参照））と、浴槽１４を保持するための保持枠形成用木型３８（図２（ｆ）参照）とをそれぞれ別体に形成して、洗い場用防水パン２及び浴槽１４を保持するための保持枠形成用木型３８を防水パン形成用木型３０と別体又は一体的に選択的に形成するようにしたので、防水パン形成用木型３０を分割型のバスユニット１及び一体型のバスユニット１８の両方に兼用して使用することができる。
【００４７】
この結果、分割型のバスユニット１用のマスター型３２（図２（ｂ）参照）及び一体型のバスユニット１８用の一体マスター型４０（図２（ｇ）参照）の製造持における延べ型起工納期を短縮できると共に、投資コストの削減を実現することができる。
【００４８】
以上説明した発明の実施の形態に係わる浴室防水構造体のマスター型製造方法は、洗い場用防水パン（２）のマスター型（３２）を形成する防水パン形成用木型（３０）と、前記洗い場用防水パン（２）に連接して浴槽（１４）を保持させるための浴槽保持枠（３，１９）のマスター型を形成する保持枠形成用木型（３８）とを別体に形成している。そして、前記防水パン形成用木型（３０）及び前記保持枠形成用木型（３８）を用いて、前記洗い場用防水パン（２）及び前記浴槽保持枠（３，１９）のマスター型（３２，３８）を別体又は一体に選択的に形成している。
【００４９】
この構成では、洗い場用防水パン（２）のマスター型（３２）を形成する防水パン形成用木型（３０）と、前記洗い場用防水パン（２）に連接して浴槽（１４）を保持させるための浴槽保持枠（３）のマスター型を形成する保持枠形成用木型（３８）とを別体に形成して、前記防水パン形成用木型（３０）及び前記保持枠形成用木型（３８）を用いて、前記洗い場用防水パン（２）及び前記浴槽保持枠（３，１９）のマスター型（３２，３８）を別体又は一体に選択的に形成するようにしたので、分割型の浴室防水構造体（１）の型起工に用いられる防水パン形成用木型（３０）を一体型の浴室防水構造体（１８）の型起工にも兼用して用いることができる。これにより、分割型及び一体型の浴室防水構造体（１，１８）の延べ型起工納期を短縮できると共に投資コストを低減することができる。
【００５０】
また、本発明の実施の形態に係わる浴室防水構造体のマスター型製造方法は、前記防水
パン形成用木型（３０）及び前記保持枠形成用木型（３８）をベース部材（３７）に合わせた状態で固定することにより、前記洗い場用防水パン（２）及び浴槽保持枠（１９）を一体に形成する一体マスター型を形成している。
【００５１】
この構成では、別体の防水パン形成用木型（３０）及び保持枠形成用木型（３８）をベース部材（３７）に合わせた状態で固定することにより、前記洗い場用防水パン（２）及び浴槽保持枠（３８）を一体に形成する一体マスター型（４０）を形成するようにしたので、別体の防水パン形成用木型（３０）及び保持枠形成用木型（３８）により容易に一体マスター型（４０）を形成することができる。これにより、分割型及び一体型の浴室防水構造体（１，１８）の延べ型起工納期を短縮できると共に投資コストを低減することができる。
【００５２】
また、実施の形態に係わる浴室防水構造体のマスター型製造方法は、洗い場用防水パン（２）のマスター型（３２）を形成する防水パン形成用木型（３０）と、前記洗い場用防水パン（２）に連接して浴槽（１４）を保持させるための浴槽保持枠（１９）のマスター型を形成する保持枠形成用木型（３８）とを別体に形成して、前記防水パン形成用木型（３０）及び前記保持枠形成用木型（３８）をベース部材（３７）に合わせた状態で着脱可能に固定している。
【００５３】
この構成では、洗い場用防水パン（２）のマスター型（３２）を形成する防水パン形成用木型（３０）と、前記洗い場用防水パン（２）に連接して浴槽（１４）を保持させるための浴槽保持枠（１９）のマスター型（４０Ａ）を形成する保持枠形成用木型（３８）とを別体に形成して、前記防水パン形成用木型（３０）及び前記保持枠形成用木型（３８）をベース部材（３７）に合わせた状態で着脱可能に固定したので、分割型のバスユニット（１）の型起工に用いられた防水パン形成用木型（３０）を一体型のバスユニット（１８）の型起工に兼用して用いることができると共に、サイズの異なる浴槽（１４）を洗い場用防水パン（２）に連接する場合に、所望サイズの保持枠形成用木型（３８）を防水パン形成用木型（３０）に固定するだけで、所望サイズの浴槽（１４）を保持する浴槽保持枠（１９）を備えた浴室防水構造体（１８）の一体マスター型（４０）を容易に形成することができる。
【図面の簡単な説明】
【００５４】
【図１】（ａ）は分割型のバスユニット（分割型の浴室防水構造体）の分解斜視図、（ｂ）は一体型バスユニットの斜視図である。
【図２】分割型及び一体型のバスユニットを型起工する工程図であって、（ａ）は洗い場用防水パン用の木型、（ｂ）は（ａ）の木型により形成されるマスター型、（ｃ）はマスター型により形成される生産型、（ｄ）はマスター型により形成される製品としての洗い場用防水パン、（ｅ）はベース部材に載置された（ａ）の木型、（ｆ）は洗い場用防水パン用の木型と浴槽保持枠用の木型との一体型の木型、（ｇ）は（ｆ）の木型により形成された一体型のマスター型、（ｈ）は一体型の生産型、（ｉ）は（ｈ）の生産型により形成された製品としての一体型バスユニットをそれぞれ示す図である。
【符号の説明】
【００５５】
１              分割型のバスユニット（浴室防水構造体）
２              洗い場用防水パン
３              分割型のバスユニットの浴槽保持枠
１４            浴槽
１８            一体型のバスユニット（浴室防水構造体）
１９            一体型のバスユニットの浴槽保持枠
３０            防水パン形成用木型
３２            防水パン形成用のマスター型
３７            ベース部材
３８            保持枠形成用木型
４０            一体マスター型
４０Ａ          保持枠形成用のマスター型
【図１】
2006123282.tif 000003
【図２】
2006123282.tif 000004